(57)【要約】【課題】農作物を内部に収納するための労力を低減するフレコンオープンハンガーを提供する。【解決手段】ハンガー本体１１と、ハンガー本体１１の両端に設けられた一対のベルト受け１２ａ、１２ｂと、フレコンバックに取り付けられたときにハンガー本体１１の上側となる面に固定された一対の脱落防止フック１３ａ、１３ｂとを備え、ハンガー本体１１は、フレコンバックの開口部近傍の内方弧状部の形状に沿うように湾曲した形状の棒体、管体等からなり、ベルト受け１２ａ、１２ｂは、それぞれ、ハンガー本体１１に長手方向に伸びたＵ字状の受け具が連設されてなり、フレコンバックに取り付けられて吊りベルトを受けるようになっており、脱落防止フック１３ａ、１３ｂは、それぞれ、フレコンバックに取り付けられたときに吊りベルトに掛止可能な、例えば両端近傍等のハンガー本体１１上の所定の位置に固定されたフック状部分から構成される。【選択図】図１
2008189352.tif 000002
【特許請求の範囲】
【請求項１】
２つの連結点で固定される吊りベルトを複数有する袋の開口部近傍の周辺形状に沿う、棒状又は管状の形状を有するハンガー本体と、前記ハンガー本体の両端に固定され前記吊りベルトを前記連結点近傍で受けるベルト受けと、前記ベルト受けに対応して前記ハンガー本体の端部寄りに固定され、前記吊りベルトに掛止可能なフック状部分を有する脱落防止フックとを備えることを特徴とするフレコンオープンハンガー。
【請求項２】
前記ベルト受けが、前記吊りベルトの厚さと同等に開いたＵ字状の受け具が連設されてなることを特徴とする請求項１に記載のフレコンオープンハンガー。
【請求項３】
前記脱落防止フックのフック状部分が、前記ハンガー本体の長手方向に対して斜め上方を向いていることを特徴とする請求項１又は請求項２に記載のフレコンオープンハンガー。
【発明の詳細な説明】
【技術分野】
【０００１】
本発明は、農作物を収納する袋の開口部を広げたまま保持するフレコンオープンハンガーに関する。
【背景技術】
【０００２】
従来、農作物を収納する袋として、所謂フレコン（フレキシブルコンテナ）バックと称されるものが知られ（例えば、非特許文献１参照。）、例えば円筒状のものがある。フレコンバックは、例えば、収穫機を介して収穫されコンベアを介して搬送された農作物を収納するように使用される。図５は、クレーンに吊り下げられ農作物を収納するフレコンバックを示す図である。図５に示すように、フレコンバック２は、上方の開口部２４近傍に左右２つの吊りベルト２５を有し、この吊りベルト２５をフック３１に掛止して収穫機のクレーン３に吊り下げられる。そして、フレコンバック２は、コンベア４を介して搬送された例えば人参５等の農作物を規定容積まで収納したときに、他のバックに交換される。
【非特許文献１】http://www.clio.ne.jp/home/yoichi/container.htm
【発明の開示】
【発明が解決しようとする課題】
【０００３】
しかしながら、従来の使用方法では、フレコンバック内の収納物の増大と共に荷重が増え、開口部が例えば図５に示すようにつぼんでしまい、適切に農作物を収めるには多大な労力を要するという問題を有していた。具体的には、定期的にフレコンバックをゆすって内部全体に農作物を広げ、規定容積まで収納するようにしていた。特に、農作物が人参の場合、形状が三角錐状であるため、人手を介さずには適切に規定容積まで収納することができず、常に多大な労力を必要としていた。
【０００４】
以上の現状に鑑み、本発明の目的は、農作物を内部に収納するための労力を低減するフレコンオープンハンガーを提供する。
【課題を解決するための手段】
【０００５】
上記の課題を解決すべく、本発明は以下の構成を提供する。
請求項１に係る発明は、２つの連結点で固定される吊りベルトを複数有する袋の開口部近傍の周辺形状に沿う、棒状又は管状の形状を有するハンガー本体と、前記ハンガー本体の両端に固定され前記吊りベルトを前記連結点近傍で受けるベルト受けと、前記ベルト受けに対応して前記ハンガー本体の端部寄りに固定され、前記吊りベルトに掛止可能なフック状部分を有する脱落防止フックとを備えることを特徴とする。
【０００６】
請求項２に係る発明は、請求項１に記載のフレコンオープンハンガーにおいて、前記ベルト受けが、前記吊りベルトの厚さと同等に開いたＵ字状の受け具が連設されてなることを特徴とする。
【０００７】
請求項３に係る発明は、請求項１又は請求項２に記載のフレコンオープンハンガーにおいて、前記脱落防止フックのフック状部分が、前記ハンガー本体の長手方向に対して斜め上方を向いていることを特徴とする。
【発明の効果】
【０００８】
請求項１に係る発明によれば、２つの連結点で固定される吊りベルトを複数有する袋の開口部近傍の周辺形状に沿う、棒状又は管状の形状を有するハンガー本体と、ハンガー本体の両端に固定され吊りベルトを連結点近傍で受けるベルト受けと、ベルト受けに対応してハンガー本体の端部寄りに固定され、吊りベルトに掛止可能なフック状部分を有する脱落防止フックとを備えるため、農作物を収納する袋の開口部を広げたまま保持することができ、もって、農作物を内部に収納するための労力を低減することが可能なフレコンオープンハンガーを実現することができる。
【０００９】
請求項２に係る発明によれば、上記請求項１の効果に加えて、ベルト受けが、吊りベルトの厚さと同等に開いたＵ字状の受け具が連設されてなるため、簡易な構成で適切に吊りベルトを受けることができる。
【００１０】
請求項３に係る発明によれば、上記請求項１又は請求項２の効果に加えて、脱落防止フックのフック状部分が、ハンガー本体の長手方向に対して斜め上方を向いているため、容易に吊りベルトに掛止することができる。
【発明を実施するための最良の形態】
【００１１】
以下、実施例を示した図面を参照しつつ本発明の実施の形態について説明する。
図１は、本発明によるフレコンオープンハンガーの一実施例を示す上面図（ａ）及び正面図（ｂ）である。フレコンオープンハンガー１は、図１に示すように、ハンガー本体１１と、ハンガー本体１１の両端に設けられた一対のベルト受け１２ａ、１２ｂと、フレコンバックに取り付けられたときにハンガー本体１１の上側となる面に固定された一対の脱落防止フック１３ａ、１３ｂとを備える。
【００１２】
図２はフレコンバックに取り付けられたフレコンオープンハンガーを模式的に示す斜視図であり、図３はフレコンバックのフレコンオープンハンガーが取り付けられる部分についての説明図である。以下、開口部を上部に有する円筒状の形状のフレコンバックを例にとり説明する。フレコンバック２は、平面円形の底２２に連設された円筒状の側壁２３からなるフレコンバック本体２１と、フレコンバック本体２１の開口部２４近傍の連結点２６ａ、２６ｂを介して側壁２３の対向する位置にそれぞれ固定された１対の吊りベルト２５、２５とから構成されている。
【００１３】
ハンガー本体１１は、図２に示すように、フレコンバック２の開口部近傍の内方弧状部２７の形状に沿うように湾曲した形状の棒体、管体等として構成されている。ここで、内方弧状部２７は、図３に示すように、一方の連結点２６ａと他方の連結点２６ｂで終端する側壁２３の内側に沿った部分である。
【００１４】
ベルト受け１２ａ、１２ｂは、それぞれ、図１に示すように、ハンガー本体１１に長手方向に伸びたＵ字状の受け具が連設されてなり、フレコンバック２に取り付けられて吊りベルト２５を受けるようになっている。
【００１５】
脱落防止フック１３ａ、１３ｂは、それぞれ、フレコンバック２に取り付けられたときに吊りベルト２５に掛止可能な、例えば両端近傍等のハンガー本体１１上の所定の位置に固定されたフック状部分から構成される。脱落防止フック１３ａ、１３ｂは、また、吊りベルト２５に容易に掛止できるように、そのフック状部分がそれぞれハンガー本体１１の長手方向に対して斜め上方を向くように固定されている。
【００１６】
以下、図面を参照して本発明によるフレコンオープンハンガーの使用方法について説明する。ここで、フレコンバック２は、予め吊りベルト２５、２５を介して例えばクレーン３のフック３１に吊るされているものとする。
【００１７】
まず、ハンガー本体１１がフレコンバック２の内方弧状部２７の形状に沿うこととなる向きで、１つのフレコンオープンハンガー１の一方のベルト受け１２ａに吊りベルト２５をその幅方向に押し込むようにして挿入し、図２に示すように吊りベルト２５の連結点２６ａ（図３）の近傍に位置合わせして取り付ける。次に、ベルト受け１２ａ側の脱落防止フック１３ａを吊りベルト２５にフレコンバック２の内側から掛止する。
【００１８】
同様に、残りのベルト受け１２ｂに吊りベルト２５をその幅方向に押し込むようにして挿入し、図２に示すように吊りベルト２５の連結点２６ｂ（図３）の近傍に位置合わせして取り付ける。さらに、ベルト受け１２ｂ側の脱落防止フック１３ｂを上記と同様に吊りベルト２５に掛止して、フレコンオープンハンガー１がフレコンバック２から脱落しないようにする。
【００１９】
次に、もう１つのフレコンオープンハンガー１を、同様に、フレコンバック２の上記で取り付けたフレコンオープンハンガー１と対向する位置に取り付ける。図４は、フレコンバックに取り付けられたフレコンオープンハンガーを模式的に示す正面図である。クレーン３にフック３１を介して吊り下げられ、フレコンオープンハンガー１が取り付けられたフレコンバック２は、コンベア４を介して搬送された例えば人参５等の農作物が入っても、図５に示すものとは異なり、つぼまない。その結果、本発明によるフレコンオープンハンガーは、農作物の収容開始から規定容量収容するまで労力を削減することができると共に、フレコンバックの形状も円柱状等に好適に確保することができる。
【図面の簡単な説明】
【００２０】
【図１】本発明によるフレコンオープンハンガーの一実施例を示す上面図（ａ）及び正面図（ｂ）である。
【図２】フレコンバックに取り付けられたフレコンオープンハンガーを模式的に示す斜視図である。
【図３】フレコンバックのフレコンオープンハンガーが取り付けられる部分についての説明図である。
【図４】フレコンバックに取り付けられたフレコンオープンハンガーを模式的に示す正面図である。
【図５】クレーンに吊り下げられ農作物を収納するフレコンバックを示す図である。
【符号の説明】
【００２１】
１  フレコンオープンハンガー
２  フレコンバック
３  クレーン
４  コンベア
５  人参
１１  ハンガー本体
１２ａ、１２ｂ  ベルト受け
１３ａ、１３ｂ  脱落防止フック
２１  フレコンバック本体
２２  底
２３  側壁
２４  開口部
２５  吊りベルト
２６ａ、２６ｂ  連結点
２７  内方弧状部
３１  フック
【図１】
2008189352.tif 000003
【図２】
2008189352.tif 000004
【図３】
2008189352.tif 000005
【図４】
2008189352.tif 000006
【図５】
2008189352.tif 000007